(57)【要約】【課題】端子の出し入れを容易に行うことができる端子収納装置および電子機器を提供する。【解決手段】端子収納装置は、開口部を有し、端子を収納する収納部と、一端側において回転可能に軸支されるとともに、他端側において前記端子に係合し、端子を収納部外へ突出させるよう第１の方向へ動作させ、さらに、端子を前記収納部に収納させるように第２の方向へ動作させる端子動作用レバーと、端子動作用レバーに係合し、ユーザにより操作されることにより端子動作用レバーを回転動作させる操作部とを備える。【選択図】図２
2013026049.tif 000002
【特許請求の範囲】
【請求項１】
開口部を有し、端子を収納する収納部と、
一端側において回転可能に軸支されるとともに、他端側において前記端子に係合し、前記端子を前記収納部外へ突出させるよう第１の方向へ動作させ、さらに、前記端子を前記収納部に収納させるように第２の方向へ動作させる端子動作用レバーと、
前記端子動作用レバーに係合し、ユーザにより操作されることにより前記端子動作用レバーを回転動作させる操作部と
を備える
端子収納装置。
【請求項２】
前記端子動作用レバーは、前記他端側に前記端子に係合する係合突起を備え、さらに、軸支される位置から前記係合突起までの寸法が、軸支される位置から前記操作部との係合位置までの寸法よりも大きくなるように構成されている
請求項１に記載の端子収納装置。
【請求項３】
前記端子動作用レバーは、前記端子が前記収納部外へ突出している状態においては、弾性体により前記第１の方向へ付勢され、前記端子が前記収納部内に収納されている状態においては、前記弾性体により前記第２の方向へ付勢される
請求項２に記載の端子収納装置。
【請求項４】
前記端子は、該端子の動作方向に対して略垂直の係合溝を有し、
該係合溝に前記係合突起が挿入されることにより前記端子動作用レバーと前記端子とが係合する
請求項２に記載の端子収納装置。
【請求項５】
前記係合溝の一端側には屈曲部が形成されており、前記端子が前記収納部外へ突出した状態において、前記係合突起は前記屈曲部内に位置する
請求項２に記載の端子収納装置。
【請求項６】
前記開口部を開閉する蓋を更に備える
請求項１に記載の端子収納装置。
【請求項７】
端子を出し入れするための開口部を有し、端子を収納する収納部と、
一端側において回転可能に軸支されるとともに、他端側において前記端子に係合し、前記端子を前記収納部外へ突出させるよう第１の方向へ動作させ、さらに、前記端子を前記収納部に収納させるように第２の方向へ動作させる端子動作用レバーと、
前記端子動作用レバーに係合し、ユーザにより操作されることにより前記端子動作用レバーを回転動作させる操作部と
を備える端子収納装置
を筐体内に備える電子機器。
【請求項８】
前記端子収納装置は、前記開口部を開閉する蓋を更に備え、
前記筐体は蓋収納部を有し、
前記蓋は前記開口部を開いた状態においては前記蓋収納部に収納される
請求項７に記載の電子機器。
【発明の詳細な説明】
【技術分野】
【０００１】
本技術は、端子を収納する端子収納装置および、端子収納装置を備える電子機器に関する。
【背景技術】
【０００２】
近年、ＵＳＢ（Universal Serial Bus）などの規格に準拠した端子を備えた電子機器（オーディオ機器、ＵＳＢメモリなど）が普及し、簡単にデータの保存、読み出しなどが可能となっている（特許文献１）。
【先行技術文献】
【特許文献】
【０００３】
【特許文献１】特開２０１０−２１８０８２号公報
【発明の概要】
【発明が解決しようとする課題】
【０００４】
特許文献１に記載されているように、ＵＳＢ端子などの端子を備えた電子機器においては、端子が固定的に外部に露出しており、その端子を保護するために取り外し可能な蓋を装着するのが一般的である。
【０００５】
しかし、そのような、取り外し可能な蓋で端子を保護する構成では、電子機器を使用するたびに蓋を外し、また、使用後に蓋を装着する必要があり、その蓋の取り外しは非常に煩雑である。また、蓋が取り外し可能な構成では、蓋を紛失してしまうおそれもある。
【０００６】
したがって、本技術の目的は、端子の出し入れを容易に行うことができる端子収納装置および電子機器を提供することにある。
【課題を解決するための手段】
【０００７】
上述した課題を解決するために、本技術は、開口部を有し、端子を収納する収納部と、一端側において回転可能に軸支されるとともに、他端側において端子に係合し、端子を収納部外へ突出させるよう第１の方向へ動作させ、さらに、端子を収納部に収納させるように第２の方向へ動作させる端子動作用レバーと、端子動作用レバーに係合し、ユーザにより操作されることにより端子動作用レバーを回転動作させる操作部とを備える端子収納装置である。
【０００８】
さらに、本技術は、端子を出し入れするための開口部を有し、端子を収納する収納部と、一端側において回転可能に軸支されるとともに、他端側において端子に係合し、端子を収納部外へ突出させるよう第１の方向へ動作させ、さらに、端子を収納部に収納させるように第２の方向へ動作させる端子動作用レバーと、端子動作用レバーに係合し、ユーザにより操作されることにより端子動作用レバーを回転動作させる操作部とを備える端子収納装置を筐体内に備える電子機器である。
【発明の効果】
【０００９】
本技術によれば、端子の出し入れを容易に行うことができる。
【図面の簡単な説明】
【００１０】
【図１】図１Ａおよび図１Ｂは、本技術に係る端子収納装置を備える電子機器の外観構成を示す図である。
【図２】図２Ａは端子の外観構成を示す斜視図であり、図２Ｂは端子の側面図であり、図２Ｃは、端子の平面図である。
【図３】図３Ａおよび図３Ｂは、端子収納装置の斜視図である。
【図４】図４Ａは端子収納装置の下面図であり、図４Ｂおよび図４Ｃは端子と端子動作用レバーの係合状態を示す図である。
【図５】図５Ａは端子収納装置の上面図であり、図５Ｂは端子収納装置の側面図であり、図５Ｃは端子収納装置の下面図である。
【図６】図６Ａ、図６Ｂおよび図６Ｃは、端子収納装置の側面図である。
【図７】図７Ａおよび図７Ｂは、端子収納装置を備える電子機器の部分拡大図である。
【図８】図８Ａ、図８Ｂ、図８Ｃおよび図８Ｄは、端子収納装置の動作を説明するための端子収納装置の下面図である。
【図９】図９Ａ、図９Ｂおよび図８Ｃ、端子収納装置の動作を説明するための端子収納装置の側面図である。
【図１０】図１０Ａおよび図１０Ｂは、蓋の収納状態を示す電子機器の断面斜視図である。
【図１１】図１１Ａおよび図１１Ｂは、端子に対して外部から力が加わった場合の端子収納装置の動作を説明するための図ある。
【発明を実施するための形態】
【００１１】
以下、本技術の実施の形態について図面を参照しながら説明する。ただし、本技術は以下の実施例のみに限定されるものではない。なお、説明は以下の順序で行う。
＜１．実施の形態＞
［１−１.電子機器の構成の構成］
［１−２.端子収納装置の構成］
［１−３.端子収納装置の動作］
＜２．変形例＞
【００１２】
＜１．実施の形態＞
［１−１.電子機器の構成］
図１は端子収納装置３００を備える電子機器１００の外観構成を示す図である。本実施の形態においては、電子機器１００はＵＳＢ規格に対応した端子１０を備えるとともに、内部に記憶媒体としての不揮発性メモリ（図示せず）を備える、いわゆるＵＳＢメモリとして構成されている。
【００１３】
電子機器１００は、筐体２００と端子１０と、筐体２００内に設けられた本技術に係る端子収納装置３００と不揮発性メモリとから構成されている。端子１０と不揮発性メモリとは筐体２００内で電気的に接続されている。端子１０を介してパーソナルコンピュータなどの外部機器から電子機器１００に入力されたデータは不揮発性メモリに保存される。また、不揮発性メモリに保存されたデータは、端子１０を介してパーソナルコンピュータなどの外部装置に出力される。
【００１４】
筐体２００の前面２１０には端子１０の出し入れを可能とするための端子出入口２２０が形成されている。端子出入口２２０は図１Ａに示すように端子１０が収納されている場合には端子収納装置３００を構成する蓋６０によって閉じられている。一方、端子１０が筐体２００外に突出している場合には、図１Ｂに示すように蓋６０は開いた状態となる。なお、蓋６０の構成および蓋６０の開閉動作の詳細について後述する。なお、筐体２００は例えば、プラスチックなどの合成樹脂により構成されている。
【００１５】
また、電子機器１００の下面２３０にはユーザが端子１０を突出させる際および収納する際に操作するつまみ３０が露出するためのつまみ露出穴２４０が形成されている。つまみ露出穴２４０は、つまみ３０がスライド可能なように、端子１０の動作方向である筐体２００の長手方向に沿って所定の長さを有する長方形状に形成されている。
【００１６】
［１−２.端子収納装置の構成］
次に電子機器１００の筐体２００内に設けられる端子収納装置３００の構成について説明する。図２Ａは端子収納装置３００に収納される端子１０の外観構成を示す斜視図である。また、図２Ｂは端子１０の側面図であり、図２Ｃは端子１０の下面図である。
【００１７】
本実施の形態においては、端子１０はＵＳＢ規格に対応した端子本体１１と、端子本体１１をカバーするカバー部１２とから構成されている。カバー部１２は、端子１０が他の電子機器１００と接続される際に、その他の電子機器１００に差し込まれる端子本体１１の差し込み部分以外を被覆するものである。カバー部１２は例えば、プラスチックなどの合成樹脂により構成されている。
【００１８】
図２Ｂに示すように、カバー部１２の側面１２Ａには後述する蓋用レバー７０に設けられた蓋用レバー突起７３が係合した状態で摺動するための蓋用レバー係合溝１３が形成されている。蓋用レバー係合溝１３は、端子１０のスライド動作方向である端子１０の長手方向に沿った長尺の溝として構成されている。また、蓋用レバー係合溝１３は一端側において、上方向へ凹んだ凹み部１４が形成されている。凹み部１４と蓋用レバー係合溝１３の間は、曲面状に形成された曲面部１５が形成されている。したがって、カバー部１２の側面１２Ａには蓋用レバー係合溝１３、曲面部１５および凹み部１４により略Ｌ字型の溝が形成されている。詳しくは後述するが、端子収納装置３００を構成する蓋６０が閉じた状態においては、蓋用レバー突起７３は凹み部１４に位置することとなる。
【００１９】
図２Ｃに示すように、カバー部１２の下面１２Ｂには後述する端子動作用レバー４０に設けられた端子係合用突起４２が係合するための端子用レバー係合溝１６が形成されている。端子用レバー係合溝１６は特許請求の範囲における係合溝に相当するものである。端子用レバー係合溝１６は、端子１０のスライド動作方向である端子１０の長手方向に対して略垂直の溝として形成されている。また、端子用レバー係合溝１６の一端は、端子１０の長手方向に対して斜めに屈曲しており、その屈曲部分は端子用レバー固定部１７として機能する。また、カバー部１２の下面１２Ｂにはリブ部１８が設けられている。端子用レバー係合溝１６、端子用レバー固定部１７およびリブ部１８の機能については後述する。
【００２０】
図３は端子収納装置３００の外観構成を示す斜視図である。図３Ａは端子１０が収納部２４内に収納されている状態を示すものであり、図３Ｂは端子１０が収納部２４外へ突出している状態を示すものである。
【００２１】
図４Ａは、説明の便宜上つまみ３０を除いた状態の端子収納装置３００の下面図である。図４Ｂおよび図４Ｃは、端子１０と端子動作用レバー４０との係合状態を示す図である。図４Ｂは端子１０が収納部２４内に収納されている状態であり、図４Ｃは端子１０が収納部２４外に突出している状態である。なお、図４Ｂおよび図４Ｃは、説明の便宜上、端子１０、端子動作用レバー４０および端子用バネ５０のみを表し、端子は透過状態で表されている。
【００２２】
さらに、図５Ａは端子収納装置３００の上面図、図５Ｂは端子収納装置３００の側面図、図５Ｃは端子収納装置３００の下面図である。
【００２３】
端子収納装置３００は端子１０、シャーシ２０、つまみ３０、端子動作用レバー４０、端子用バネ５０、蓋６０、蓋用レバー７０とから構成されている。
【００２４】
シャーシ２０は、端子１０を収納するための収納部２４を備え、端子収納装置３００の基礎となるものである。つまみ３０は、端子１０を収納部２４内外に出し入れするためにユーザによって操作されるものである。つまみ３０は特許請求の範囲における操作部に相当するものである。端子動作用レバー４０は、つまみ３０と端子１０との間に介在するように設けられており、つまみ３０の動作に連動して端子１０を動作させるためのものである。端子用バネ５０は端子動作用レバー４０の動作のために所定の方向に端子動作用レバー４０を付勢するものである。
【００２５】
蓋６０は、収納部２４の開口部２５を閉じるためのものである。蓋用レバー７０は蓋６０を開閉動作させるためのものである。
【００２６】
シャーシ２０は、端子収納装置３００の基礎となるものである。シャーシ２０は、上面部２１、第１側面部２２、第２側面部（図示せず。）および下面部２３とからなり、前方において開口する略直方体状の筒状に形成されている。上面部２１、第１側面部２２、第２側面部および下面部２３により形成される内部空間は、端子１０を収納するための収納部２４として機能する。収納部２４は開口部２５を有する。端子１０は、収納部２４内をスライドすることにより、開口部２５から収納部２４外へ突出する。また、端子１０は収納部２４内をスライドすることにより開口部２５から収納部２４内に収納される。
【００２７】
図４Ａに示すように、シャーシ２０の下面部２３には円弧状に湾曲した形状を有する円弧溝２６が形成されている。また、シャーシ２０の下面部２３には端子１０の出し入れを行うための端子動作用レバー４０が設けられている。端子動作用レバー４０は一端側において、シャーシ２０に接続された端子用レバー回転軸４１によって軸支されることにより、端子用レバー回転軸４１を中心にハ、ニ方向に回転可能に構成されている。
【００２８】
端子動作用レバー４０は、シャーシ２０に取り付けられた状態においてシャーシ２０方向へ突出する端子係合用突起４２を備える。また、端子動作用レバー４０は、シャーシ２０に取り付けられた状態においてシャーシ２０とは反対方向へ突出するつまみ係合用突起４３を備える。
【００２９】
端子係合用突起４２は、シャーシ２０の下面部２３に形成された円弧溝２６に入り込むように構成されている。さらに、端子係合用突起４２は、図４Ｂおよび図４Ｃに示すように、端子１０を構成するカバー部１２の端子用レバー係合溝１６にも入り込むように構成されている。よって、端子係合用突起４２はシャーシ２０の円弧溝２６と、端子１０のカバー部１２の端子用レバー係合溝１６の両方に入り込むように構成されている。
【００３０】
端子用レバー回転軸４１から端子係合用突起４２までの寸法は、端子用レバー回転軸４１からつまみ係合用突起４３までの寸法よりも大きくなるように構成されている。これにより、端子動作用レバー４０が端子用レバー回転軸４１を中心に回転した場合、端子係合用突起４２の移動距離はつまみ係合用突起４３の移動距離よりも大きくなる。
【００３１】
また、端子動作用レバー４０には二股状の線バネである端子用バネ５０の一端が引っ掛けられることにより接続されている。端子用バネ５０の他端はシャーシ２０に固定されている。二股状の端子用バネ５０は常にアーム部分を外側に開く拡開力を有している。これにより、端子動作用レバー４０は、常時ホ方向へ付勢されている。
【００３２】
図５Ｂおよび図５Ｃに示すように、つまみ３０は、電子機器１００の筐体２００の内面（図示せず。）上をスライドする基板３１と、基板３１上に設けられ、ユーザが操作するための突起状のつまみ部３２と、基板３１に形成された端子用レバー係合穴３３とから構成されている。
【００３３】
図５Ｃに示すように、つまみ３０は、端子用レバー係合穴３３に端子動作用レバー４０に設けられたつまみ係合用突起４３が挿入されるように構成されている。なお、端子用レバー係合穴３３は、端子用レバー係合穴３３につまみ係合用突起４３が挿入された状態で端子１０のスライド方向に対して略垂直に移動可能なように、所定の長さを有するように構成されている。これらの端子１０を出し入れするための各構成の動作の詳細については後述する。
【００３４】
ユーザが操作するための突起状のつまみ部３２は図１に示すように、つまみ露出穴２４０から外部に露出している。これにより、ユーザがつまみ３０を操作することが可能となる。
【００３５】
シャーシ２０の前方には、収納部２４を開閉するための蓋６０が設けられている。蓋６０は、収納部２４を開閉する蓋部６１と、蓋部６１の一端から延出し、蓋６０をシャーシ２０に接続するための第１アーム部６２、蓋部６１の他端から延出し、蓋６０をシャーシ２０に接続するための第２アーム部６３とから平面視略コ字状に形成されている。
【００３６】
第１アーム部６２および第２アーム部６３には内側に突出するように、蓋回転軸６４が設けられている。蓋回転軸６４がシャーシ２０に挿入されることにより、蓋６０は回転可能な状態でシャーシ２０に接続されている。また、第１アーム部６２には、内側に突出するように、蓋開閉用突起６５が設けられている。
【００３７】
端子１０が収納部２４に収納された状態においては、図５Ｂおよび図２Ａに示すように蓋６０はイ方向へ回動して収納部２４を閉じる。一方、端子１０が収納部２４外へ突出した状態においては、蓋６０は図５Ｂおよび図２Ｂに示すロ方向へ回動して収納部２４を開ける。したがって、蓋６０は筐体２００の端子出入口２２０を開閉するとともに、収納部２４を開閉することとなる。
【００３８】
図６Ａ乃至図６Ｃは端子収納装置３００の側面図である。図６Ａおよび図６Ｂは端子１０が収納部２４内に収納された状態である。図６Ｃは、端子１０の出し入れ動作中の状態を示す端子収納装置３００の側面図である。なお、説明の便宜上、図６Ｂおよび図６Ｃにおいては、シャーシ２０の第１側面部２２を省略し、蓋用レバー７０は透過状態で表されている。
【００３９】
シャーシ２０の第１側面部２２には、蓋６０を開閉動作させるための蓋用レバー７０が設けられている。蓋用レバー７０は一端側において蓋用レバー回転軸７１によってシャーシ２０に軸支されることにより、蓋用レバー回転軸７１を中心としてヘ、ト方向に動作可能に構成されている。
【００４０】
また、蓋用レバー７０の他端には蓋係合用穴７２が形成されている。蓋係合用穴７２には蓋６０を構成する第１アーム部６２に設けられた蓋開閉用突起６５が挿入されている。これにより、蓋用レバー７０の動作に連動して蓋６０を動作させることが可能となる。蓋用レバー７０がヘ方向へ動作することにより蓋６０が閉じ、蓋用レバー７０がト方向へ動作することにより蓋６０が開く。なお、蓋６０の開閉動作の詳細にいては後述する。
【００４１】
また、蓋用レバー７０にはシャーシ２０に接続された状態においてシャーシ２０側に突出する蓋用レバー突起７３が設けられている。図６Ｂおよび図６Ｃに示すように、蓋用レバー突起７３は、端子１０のカバー部１２に形成された蓋用レバー係合溝１３に入り込んで係合するように構成されている。なお、シャーシ２０の第１側面部２２には蓋用レバー突起７３が収納部２４内に突出して蓋用レバー係合溝１３に入り込むように穴（図示せず。）が形成されている。
【００４２】
端子１０が収納部２４に収納されている状態においては、蓋用レバー突起７３は端子１０のカバー部１２に形成された凹み部１４に位置している。また、図６Ｃに示すように、端子１０が収納部２４外へ突出する方向へスライド中の場合には、蓋用レバー突起７３は蓋用レバー係合溝１３内を摺動する。
【００４３】
［１−３.端子収納装置の動作］
次に端子収納装置３００の動作について説明する。まず、収納部２４に収納されている端子１０を収納部２４外へ突出させる場合について説明する。図７Ａおよび図７Ｂはユーザによるつまみ３０の操作について説明するための電子機器１００の一部拡大図である。
【００４４】
また、図８は端子収納装置３００の動作状態を示す端子収納装置３００の下面図である。図８Ａおよび図８Ｂはつまみ３０を含めた状態を示す図であり、図８Ｃおよび図８Ｄは説明の便宜上、つまみ３０を除いた状態を示す図である。
【００４５】
端子１０を突出させる場合、ユーザは、図７Ａの状態から図７Ｂに示す状態へと、つまみ部３２を操作して、つまみ３０をスライドさせる。そうすると、図８Ａに示す状態から図８Ｂに示す状態へとつまみ３０はチ方向へスライドする。
【００４６】
つまみ３０の基板３１に形成された端子用レバー係合穴３３に端子動作用レバー４０のつまみ係合突起４３が挿入されることにより、つまみ３０と端子動作用レバー４０とは係合し、連動して動作するようになっている。よって、つまみ３０をチ方向へスライドさせると、つまみ３０が端子動作用レバー４０を牽引して、端子動作用レバー４０は図８Ｃに示す状態から図８Ｄに示す状態へと、端子用レバー回転軸４１を中心にハ方向へ回動する。
【００４７】
端子動作用レバー４０はつまみ３０と同方向へスライドするのではなく、端子用レバー回転軸４１を中心として回転するため、端子係合用突起４２は円弧状に移動することとなる。したがって、端子係合用突起４２が挿入される円弧溝２６は端子係合用突起４２の回転軌道に沿うように形成する必要がある。端子係合用突起４２は円弧溝２６に沿って円弧状に移動する。
【００４８】
端子係合用突起４２は端子１０を構成するカバー部１２の蓋用レバー係合溝１３に係合している。よって、端子動作用レバー４０が端子用レバー回転軸４１を中心として回転すると、端子係合用突起４２によって端子１０はチ方向へ引っ張られる。これにより、端子１０が収納部２４内でチ方向へスライドして、端子１０が収納部２４外へ引き出される。
【００４９】
端子動作用レバー４０は端子用バネ５０の拡開力によって常時付勢されている。図８Ｃに示すように、端子動作用レバー４０は端子１０が収納部２４内に収納されている状態においては、端子用バネ５０によって常時、ヌ方向へ付勢されている。
【００５０】
一方、つまみ３０のスライドに連動して端子動作用レバー４０が回転して、端子係合用突起４２が円弧溝２６の略中間地点に至ると、図８Ｄに示すように、端子動作用レバー４０は端子用バネ５０の張力によってル方向へ付勢される。これにより、ユーザがつまみ３０をスライドさせることにより端子係合用突起４２を円弧溝２６の略中間地点まで移動させれば、それ以降は、端子用バネ５０の拡開力により端子動作用レバー４０は回転し、端子係合用突起４２は円弧溝２６の端まで移動する。よって、ユーザはつまみ３０を端子１０が円弧溝２６の略中間地点に到達する位置までスライドさせれば、それ以降は力を加えることなく、端子１０を収納部２４から引き出すことができる。
【００５１】
また、端子動作用レバー４０は、端子用レバー回転軸４１から端子係合用突起４２までの寸法が、端子用レバー回転軸４１からつまみ係合用突起４３までの寸法よりも大きくなるように構成されている。これにより、端子動作用レバー４０の回転による端子係合用突起４２の移動距離は、端子動作用レバー４０の回転によるつまみ係合用突起４３の移動距離よりも長くなる。
【００５２】
したがって、ユーザはつまみ３０のスライドにより端子動作用レバー４０を回転させて、つまみ係合用突起４３を移動させることにより、そのつまみ係合用突起４３の移動距離よりも長い距離端子係合用突起４２を移動させることができる。これにより、つまみ３０のスライド距離よりも長い距離端子１０を移動させることできる。よって、ユーザは端子１０をスライドさせて収納部２４外に突出させる際、端子１０のスライド量と同じ分だけつまみ３０をスライドさせる必要がない。すなわち、つまみ３０をスライドさせることにより、つまみ３０のスライド量よりも大きく端子１０をスライドさせることができる。
【００５３】
これにより、端子１０を出し入れする際につまみを操作するユーザの指の運動量が低減し、端子１０の出し入れが迅速容易となる。また、電子機器１００、端子収納装置３００におけるつまみ３０の範囲を小さくすることができるため、電子機器１００のデザインの自由度を上げることができる。
【００５４】
なお、つまみ３０の基板３１に形成された端子用レバー係合穴３３は、端子１０のスライド方向と略垂直方向に所定の長さを有するように形成されている。これは、端子動作用レバー４０の回転動作のための遊びをもたせるための構成である。すなわち、端子動作用レバー４０は端子用レバー回転軸４１を中心に回転し、つまみ係合用突起４３も端子用レバー回転軸４１を中心としてハ、ニ方向に回転するため、係合穴が遊びを有していなければ端子動作用レバー４０が回転することができないからである。
【００５５】
端子１０が収納部２４外へ突出した状態においては、図８Ｄに示すように、端子用バネ５０は、常に端子動作用レバー４０をル方向へ付勢している。これにより、端子１０が外側からリ方向（端子１０を収納する方向）へ押圧されて端子１０が収納部２４方向へ戻ってしまうことを防ぐことができる。
【００５６】
また、図４Ｃに示すように、端子１０が収納部２４外へ突出した状態においては、端子動作用レバー４０の端子係合用突起４２は端子用レバー固定部１７に位置している。これにより、端子１０が外側からリ方向（端子１０を収納する方向）へ押圧されても、端子用レバー固定部１７の形状が端子係合用突起４２を押すことになり、端子動作用レバー４０はル方向へ動こうとして、リ方向（端子１０を収納する方向）への押圧と相殺となり、端子１０が収納部２４方向へ戻ってしまうことを防ぐことができる。
【００５７】
これにより、例えば、端子１０をパーソナルコンピュータなどの外部機器に接続する際に、端子１０が収納部２４内に戻ってしまい、挿し込むことができないということを防止することができる。
【００５８】
次に、突出している端子１０を収納部２４内に収納する場合について説明する。端子１０を収納する合、ユーザは、図７Ｂに示す状態から図７Ａに示す状態へと、つまみ部３２を操作する。そうすると、図８Ｂに示す状態から図８Ａに示す状態へとつまみ３０はリ方向へスライドする。
【００５９】
つまみ３０の基板３１に形成された端子用レバー係合穴３３に端子動作用レバー４０のつまみ係合突起４３が挿入されることにより、つまみ３０と端子動作用レバー４０とは係合し、連動して動作するようになっている。よって、つまみ３０をリ方向へスライドさせると、つまみ３０が端子動作用レバー４０を牽引して、端子動作用レバー４０は図８Ｄに示す状態から図８Ｃに示す状態へと、端子用レバー回転軸４１を中心にニ方向へ回動する。
【００６０】
端子係合用突起４２は端子１０を構成するカバー部１２の溝に嵌合しているため、端子動作用レバー４０が端子用レバー回転軸４１を中心としてニ方向へ回転すると、端子係合用突起４２の移動に連動して端子１０はリ方向へ引っ張られる。これにより、端子１０が収納部２４内に収納される。
【００６１】
端子動作用レバー４０は端子用バネ５０の拡開力によって常時付勢されている。図８Ｄに示すように、端子動作用レバー４０は端子１０が収納部２４外に突出している状態においては、端子用バネ５０によって常時、ル方向へ付勢されている。
【００６２】
一方、つまみ３０のスライドに連動して端子動作用レバー４０が回転して、端子係合用突起４２が円弧溝２６の略中間地点に至ると、図８Ｃに示すように、端子動作用レバー４０は端子用バネ５０の張力によってヌ方向へ付勢される。これにより、ユーザはつまみ３０をスライドさせることにより端子係合用突起４２を円弧溝２６の略中間地点まで移動させれば、それ以降は、端子用バネ５０の拡開力により端子動作用レバー４０は回転し、端子係合用突起４２は円弧溝２６の端（ニ方向の端）まで移動する。よって、ユーザはつまみ３０を端子１０が円弧溝２６の略中間地点に到達する位置までスライドさせれば、それ以降は力を加えることなく、端子１０を収納部２４内に収納させることができる。
【００６３】
なお、端子動作用レバー４０は、端子用レバー回転軸４１から端子係合用突起４２までの寸法が、端子用レバー回転軸４１からつまみ係合用突起４３までの寸法よりも大きくなるように構成されている。これにより、端子１０を収納する際も、端子１０を突出させる際と同様に、つまみ３０をスライドさせることにより、つまみ３０のスライド量よりも大きく端子１０をスライドさせることができる。よって、端子を収納する際につまみを操作するユーザの指の運動量が低減し、端子１０の収納が迅速容易となる。
【００６４】
次に、端子１０を突出させる動作に伴って蓋６０が開く動作について説明する。図９は端子収納装置３００の動作状態を示す端子収納装置３００の側面図である。図９Ａは収納部２４内に端子１０が収納されており、蓋６０が閉じられている状態を示すものである。図９Ｂは、収納部２４から端子１０が外部に突出する動作中の状態を示す図である。図９Ｃは端子１０が収納部２４から突出した状態を示す図である。なお、図９Ａおよび図９Ｂは説明の便宜上、シャーシ２０の第１側面部２２を省略し、さらに蓋用レバー７０を透過状態で表している。
【００６５】
端子１０が収納部２４内に収納されている場合、蓋６０は収納部２４を閉じる状態にある。この状態においては、図９Ａに示すように、蓋用レバー７０に設けられた蓋用レバー突起７３は端子１０のカバー部１２に設けられた凹み部１４に位置している。
【００６６】
端子１０を突出させる場合、ユーザは、図７Ａの状態から図７Ｂに示す状態へと、つまみ部３２を操作する。そうすると、図９Ａに示す状態から図９Ｂに示す状態へとつまみ３０はチ方向にスライドする。
【００６７】
そうすると、図９Ａに示す状態から、凹み部１４に位置していた蓋用レバー７０の蓋用レバー突起７３は、曲面状に形成された曲面部１５に沿って下に下がり、図９Ｂに示すように、片側側面１５に沿って蓋用レバー係合溝１３に入ることとなる。これにより、蓋用レバー７０は蓋用レバー回転軸７１を中心としてト方向へ回動する。
【００６８】
そうすると、図９Ｂに示すように、蓋用レバー７０は蓋係合用穴７２が形成された蓋用レバー７０の先端は下がることとなる。これにより、蓋係合用穴７２に係合している蓋開閉用突起６５が牽引されて、蓋６０は蓋回転軸６４を中心としてロ方向へ回転して、蓋６０が開くこととなる。
【００６９】
そして、端子１０が収納部２４から引き出されて、突出した状態となると図９Ｃに示すように、蓋用レバー７０の蓋用レバー突起７３は蓋用レバー係合溝１３から外れた状態となる。
【００７０】
このように、ユーザがつまみ３０をスライドさせることにより、それに連動して端子１０が収納部２４から排出されるとともに、蓋６０が開くこととなるので、ユーザは別途蓋６０を開くための操作を行う必要がない。
【００７１】
次に、端子１０を収納部２４に収納する動作に連動して蓋６０が閉じられる動作について説明する。端子１０を収納する合、ユーザは、図７Ｂに示す状態から図７Ａに示す状態へと、つまみ部３２を操作する。そうすると、図８Ｂに示す状態から図８Ａに示す状態へとつまみ３０はリ方向へスライドする。そうすると、図９Ｃに示す状態から図９Ｂに示す状態へとなり、蓋用レバー７０の蓋用レバー突起７３が蓋用レバー係合溝１３に入り込む。
【００７２】
つまみ３０がリ方向へスライドするのに連動して端子１０がリ方向へスライドし、蓋用レバー突起７３が曲面部１５に到達すると、蓋用レバー突起７３は曲面部１５の曲面に沿うようにして上に上がっていき凹み部１４に入り込む。これにより、蓋用レバー７０の先端はヘ方向へ持ち上げられることとなる。
【００７３】
そうすると、蓋用レバー７０の蓋係合用穴７２が蓋６０の第１アーム部６２に設けられた蓋開閉用突起６５をヘ方向へ牽引し、蓋６０は蓋回転軸６４を中心としてイ方向へ回転する。これにより、図９Ａに示すように蓋６０が閉じられる。このように、端子１０を収納部２４に収納させる動作に連動して蓋６０が閉じられるので、ユーザは別途蓋６０を閉じるための操作を行う必要がない。なお、バネなどの弾性体によって蓋用レバー７０をへ方向へ付勢しても同様の動作を実現することが可能である。ただし、本実施の形態のように曲面部１５の曲面に沿って蓋用レバー突起７３を持ち上げ、それにより蓋用レバー７０を回転させて、蓋用レバー７０の先端を持ち上げる構成を採用すれば、バネなどの弾性体は必要ない。これにより、部品点数を削減することができ、コスト削減、重量削減も実現することができる。
【００７４】
なお、図１０Ａに示すように、筐体２００の内部には蓋７０を蓋収納部２５０が形成されている。蓋７０が開いている状態においては図１０Ｂに示すように、蓋７０は蓋収納部２５０内に収納される。よって、蓋７０は電子機器１００外に突出することがない。
【００７５】
これにより、ユーザが誤って蓋７０を壊してしまうことがない。また、電子機器１００の表面に蓋７０が現れることがないため、電子機器１００のデザインの自由度が上げることができる。
【００７６】
なお、端子１０が収納部２４外へ突出している状態においては、端子１０が外部から押圧された場合、図１１Ａに示すように、端子用レバー固定部１７の端子用レバー係合溝１６に対する角度によって端子係合用突起４２はヲ方向に付勢される。これにより、端子用レバー４０はワ方向に付勢されることになる。ワ方向は端子用レバー４０が回転しようとする方向とは逆方向である。よって、端子１０が外部から押圧されても、端子１０が収納部２４内に収納されてしまうことがない。いわば、端子１０が突出した状態でロックされている。
【００７７】
一方、端子１０が収納部２４内に収納される方向に強い衝撃を受けて、大きな力で押圧される場合を考える。この大きな力とは、ユーザが端子１０を外部機器に接続する際に電子機器１００を押圧する力よりも大きい力であり、例えば落下による衝撃などの非常に大きな力のことをいう。
【００７８】
端子に大きな力が加わった場合、図１１Ｂに示すように、リブ部１８がカ方向へ傾き、端子用レバー固定部１７の角度が変わる。このように、端子用レバー固定部１７の角度を可変とするためにリブ部１８が設けられている。端子用レバー固定部１７の角度が変わることにより、外部からの大きな力によって端子係合用突起４２はヨ方向へ付勢され、端子用レバー４０はニ方向へ回転する。これにより、端子１０は収納部２４内に収納されることとなる。このようにして、外部から端子１０に大きな力が加わった場合には、端子１０は収納部２４内に引っ込むため、端子１０、さらには端子収納装置３００を構成する各部の損傷を防ぐことができる。
【００７９】
＜３．変形例＞
以上、本技術の実施の形態について具体的に説明したが、本技術は上述の実施形態に限定されるものではなく、本技術の技術的思想に基づく各種の変形が可能である。
【００８０】
実施の形態では電子機器１００はいわゆるＵＳＢメモリとして説明したが、電子機器１００はＵＳＢメモリに限られず、ＵＳＢ端子を備えたボイスレコーダーであってもよい。また、ＵＳＢ端子を備えたデジタルスチルカメラ、デジタルビデオカメラ、携帯電話機、スマートフォン、携帯ゲーム機などでもよい。端子を備える機器であればどのような機器にも本技術は適用可能である。
【００８１】
また、端子はＵＳＢ端子に限られず、ＨＤＭＩ（High-Definition Multimedia Interface）に対応した端子、Ｓ／ＰＤＩＦ(Sony Philips Digital InterFace)に対応した端子、ＦＩＲＥＷＩＲＥに対応した端子などでもよい。あらゆる端子に本技術は適用可能である。
【００８２】
また、本技術は以下のような構成も取ることができる。
【００８３】
（１）開口部を有し、端子を収納する収納部と、
一端側において回転可能に軸支されるとともに、他端側において前記端子に係合し、前記端子を前記収納部外へ突出させるよう第１の方向へ動作させ、さらに、前記端子を前記収納部に収納させるように第２の方向へ動作させる端子動作用レバーと、
前記端子動作用レバーに係合し、ユーザにより操作されることにより前記端子動作用レバーを回転動作させる操作部と
を備える
端子収納装置。
【００８４】
（２）前記端子動作用レバーは、前記他端側に前記端子に係合する係合突起を備え、さらに、軸支される位置から前記係合突起までの寸法が、軸支される位置から前記操作部との係合位置までの寸法よりも大きくなるように構成される
前記（１）に記載の端子収納装置。
【００８５】
（３）前記端子動作用レバーは、前記端子が前記収納部外へ突出している状態においては、弾性体により前記第１の方向へ付勢され、前記端子が前記収納部内に収納されている状態においては、前記弾性体により前記第２の方向へ付勢される
前記（１）または（２）に記載の端子収納装置。
【００８６】
（４）前記端子は、該端子の動作方向に対して略垂直の係合溝を有し、
該係合溝に前記係合突起が挿入されることにより前記端子動作用レバーと前記端子とが係合する
前記（１）から（３）のいずれかに記載の端子収納装置。
【００８７】
（５）前記係合溝の一端側には屈曲部が形成されており、前記端子が前記収納部外へ突出した状態において、前記係合突起は前記屈曲部内に位置する
前記（１）から（４）のいずれかに記載の端子収納装置。
【００８８】
（６）前記開口部を開閉する蓋を更に備える
前記（１）から（５）のいずれかに記載の端子収納装置。
【００８９】
（７）端子を出し入れするための開口部を有し、端子を収納する収納部と、
一端側において回転可能に軸支されるとともに、他端側において前記端子に係合し、前記端子を前記収納部外へ突出させるよう第１の方向へ動作させ、さらに、前記端子を前記収納部に収納させるように第２の方向へ動作させる端子動作用レバーと、
前記端子動作用レバーに係合し、ユーザにより操作されることにより前記端子動作用レバーを回転動作させる操作部と
を備える端子収納装置
を筐体内に備える電子機器。
【００９０】
（８）前記端子収納装置は、前記開口部を開閉する蓋を更に備え、
前記筐体は蓋収納部を有し、
前記蓋は前記開口部を開いた状態においては前記蓋収納部に収納される
前記（７）に記載の電子機器。
【符号の説明】
【００９１】
１０・・・・端子
１６・・・・端子用レバー係合溝
１７・・・・端子用レバー固定部
２４・・・・収納部
２５・・・・開口部
３０・・・・つまみ
４０・・・・端子動作用レバー
４２・・・・端子係合用突起
５０・・・・端子用バネ
６０・・・・蓋
１００・・・電子機器。
２００・・・筐体
２５０・・・蓋収納部
３００・・・端子収納装置
【図１】
2013026049.tif 000003
【図２】
2013026049.tif 000004
【図３】
2013026049.tif 000005
【図４】
2013026049.tif 000006
【図５】
2013026049.tif 000007
【図６】
2013026049.tif 000008
【図７】
2013026049.tif 000009
【図８】
2013026049.tif 000010
【図９】
2013026049.tif 000011
【図１０】
2013026049.tif 000012
【図１１】
2013026049.tif 000013